(57)【要約】【課題】  宝くじ売り場およびネットワーク上で販売される宝くじについて、相互に自動で振替を行う場合に、振替後の宝くじの枚数の不足や余剰の問題の発生を少なくする。【解決手段】  宝くじ売り場における販売情報や、ネットワーク上での販売情報や、発売条件の情報や、その他の宝くじに関連する情報をデータベース１４〜１９に記録しておく。そして、振替管理部１２では、データベース１４〜１９に記録された宝くじに関する情報を参照し、該当する宝くじの宝くじ売り場およびネットワーク上における予想される売れ行き枚数と過不足枚数を算出する。そして、該算出結果に応じて、宝くじの枚数不足が予想される場合には、売り場販売分の宝くじとネットワーク販売分の宝くじとの間で振替処理を行う。【選択図】  図１
2006065741.tif 000002
【特許請求の範囲】
【請求項１】
宝くじ売り場とネットワーク上の両方で販売される宝くじについて、売り場販売分の宝くじとネットワーク販売分の宝くじとの間で振替処理を行う宝くじ振替システムであって、
宝くじの識別情報を基に、宝くじ売り場での宝くじの販売情報を記録し管理する売り場販売管理データベースと、
宝くじの識別情報を基に、ネットワーク上での宝くじの販売情報を記録し管理するネットワーク販売管理データベースと、
宝くじの識別情報を基に、少なくとも宝くじの発売期間の情報を含む発売条件の情報を記録し管理する発売条件データベースと、
前記宝くじ売り場及びネットワーク上で販売された宝くじの販売情報を受け付け、前記売り場販売管理データベースおよびネットワーク販売管理データベースに記録する受付管理部と、
該当する宝くじについて、前記各種データベースに記録された情報を基に、該当する宝くじについての宝くじ売り場およびネットワーク上における予想売れ行き枚数と予想過不足枚数を算出し、該算出結果を基に、宝くじ売り場販売分またはネットワーク販売分において宝くじの枚数不足が予想される場合には、宝くじ売り場販売分の宝くじとネットワーク販売分の宝くじとの間で振替処理を行う振替管理部と、
を備えることを特徴とする宝くじ振替システム。
【請求項２】
宝くじの識別情報を基に、宝くじの在庫情報を記録し管理する在庫管理データベースを更に備え、
前記振替管理部は、
宝くじ売り場販売分またはネットワーク販売分において宝くじの枚数不足が予想される場合には、最初に前記在庫管理データベースを参照し、在庫がある場合には、前記在庫管理データベースから振替を行うと共に、在庫がない場合には、宝くじ売り場販売分の宝くじとネットワーク販売分の宝くじとの間で振替処理を行う
ことを特徴とする請求項１に記載の宝くじ振替システム。
【請求項３】
前記在庫分またはネットワーク販売分の宝くじを宝くじ売り場販売分に振り替える際に、該振替を行う宝くじについて証票が未製造の場合に、工場へ証票の製造指示を行う製造指示管理部と、
を備えることを特徴とする請求項２に記載の宝くじ振替システム。
【請求項４】
宝くじの識別情報を基に、宝くじの過去の売れ行きの情報を記録し管理する過去販売情報管理データベースと、暦の曜日と六曜の情報を記録するカレンダーデータベースのいずれかまたは両方をさらに備え、
前記振替管理部において宝くじ売り場およびネットワーク上における予想売れ行き枚数を算出する際には、前記過去の販売情報の要素と、暦の曜日及び六曜の情報の要素のいずれかまたは両方を含めて算出する手段を
備えることを特徴とする請求項１から請求項３のいずれかに記載の宝くじ振替システム。
【請求項５】
前記振替管理部において宝くじ売り場およびネットワーク上における予想売れ行き枚数を算出する際には、さらに気象情報の要素を含めて算出する手段を
備えることを特徴とする請求項１から請求項４のいずれかに記載の宝くじ振替システム。
【請求項６】
宝くじ売り場とネットワーク上の両方で販売される宝くじについて、売り場販売分の宝くじとネットワーク販売分の宝くじとの間で振替処理を行う宝くじ振替システムにおける宝くじ振替方法であって、
前記宝くじ振替システムの売り場販売管理データベースが、宝くじの識別情報を基に、宝くじ売り場での宝くじの販売情報を記録し、
前記宝くじ振替システムのネットワーク販売管理データベースが、宝くじの識別情報を基に、ネットワーク上での宝くじの販売情報を記録し、
前記宝くじ振替システムの発売条件データベースが、宝くじの識別情報を基に、少なくとも宝くじの発売期間の情報を含む発売条件の情報を記録し、
前記宝くじ振替システムの受付管理部が、前記宝くじ売り場及びネットワーク上で販売された宝くじの販売情報を受け付け、前記売り場販売管理データベースおよびネットワーク販売管理データベースに記録し、
前記宝くじ振替システムの振替管理部が、該当する宝くじについて、前記各種データベースに記録された情報を基に、該当する宝くじについての宝くじ売り場およびネットワーク上における予想売れ行き枚数と予想過不足枚数を算出し、該算出結果を基に、宝くじ売り場販売分またはネットワーク販売分において宝くじの枚数不足が予想される場合には、宝くじ売り場販売分の宝くじとネットワーク販売分の宝くじとの間で振替処理を行う
ことを特徴とする宝くじ振替方法。
【請求項７】
宝くじの識別情報を基に、宝くじ売り場での宝くじの販売情報を記録し管理する売り場販売管理データベースと、
宝くじの識別情報を基に、ネットワーク上での宝くじの販売情報を記録し管理するネットワーク販売管理データベースと、
宝くじの識別情報を基に、少なくとも宝くじの発売期間の情報を含む発売条件の情報を記録し管理する発売条件データベースと、
を備え、
宝くじ売り場とネットワーク上の両方で販売される宝くじについて、売り場販売分の宝くじとネットワーク販売分の宝くじとの間で振替処理を行う宝くじ振替システムのコンピュータに実行させるプログラムであって、
前記宝くじ売り場及びネットワーク上で販売された宝くじの販売情報を受け付け、前記売り場販売管理データベースおよびネットワーク販売管理データベースに記録する受付管理処理と、
該当する宝くじについて、前記各種データベースに記録された情報を基に、該当する宝くじについての宝くじ売り場およびネットワーク上における予想売れ行き枚数と予想過不足枚数を算出し、該算出結果を基に、宝くじ売り場販売分またはネットワーク販売分において宝くじの枚数不足が予想される場合には、宝くじ売り場販売分の宝くじとネットワーク販売分の宝くじとの間で振替処理を行う振替管理処理と
を実行させるプログラム。
【発明の詳細な説明】
【技術分野】
【０００１】
本発明は、ネットワーク上で販売する宝くじと、宝くじ売り場で販売する宝くじについて、相互に自動で振替を行う場合に、宝くじの振り替え後に、宝くじの枚数の不足や余剰の問題が発生することを少なくできる、宝くじ振替システム、宝くじの振替方法、およびプログラムに関するものである。
【背景技術】
【０００２】
従来より、同じ種類の宝くじを宝くじ売り場とネットワーク上の両方で販売することが行われている。
【０００３】
このように、ネットワーク上と売り場の両方で宝くじを販売する場合に、ネットワーク上で販売する宝くじの残り枚数や、または売り場で販売する宝くじの残り枚数が、ある数量を下回った場合に、ネットワーク上で販売する宝くじと売り場で販売する宝くじとの間で相互に自動で振替えを行う仕組みが従来から提案されている（例えば、特許文献１参照）。
【特許文献１】特開２００４−１９９５８３号公報
【発明の開示】
【発明が解決しようとする課題】
【０００４】
しかしながら、従来例のように、宝くじの残り数量だけで判断して振替を行う場合（他の要因を考慮することなく振替を行う場合）には、振替を行ったにもかかわらず、宝くじの枚数の不足や余剰が発生してしまう可能性が高い。
【０００５】
本発明はこのような問題を解決するためになされたもので、その目的は、ネットワーク上で販売する宝くじと、宝くじ売り場で販売する宝くじとの間で相互に自動で振替を行う場合に、宝くじの振り替え後に、宝くじの枚数の不足や余剰の問題が発生することを低減できる、宝くじ振替システム、宝くじの振替方法、およびプログラムを提供することにある。
【課題を解決するための手段】
【０００６】
本発明はかかる課題を解決するものであり、宝くじ売り場とネットワーク上の両方で販売される宝くじについて、売り場販売分の宝くじとネットワーク販売分の宝くじとの間で振替処理を行う宝くじ振替システムであって、宝くじの識別情報を基に、宝くじ売り場での宝くじの販売情報を記録し管理する売り場販売管理データベースと、宝くじの識別情報を基に、ネットワーク上での宝くじの販売情報を記録し管理するネットワーク販売管理データベースと、宝くじの識別情報を基に、少なくとも宝くじの発売期間の情報を含む発売条件の情報を記録し管理する発売条件データベースと、前記宝くじ売り場及びネットワーク上で販売された宝くじの販売情報を受け付け、前記売り場販売管理データベースおよびネットワーク販売管理データベースに記録する受付管理部と、該当する宝くじについて、前記各種データベースに記録された情報を基に、該当する宝くじについての宝くじ売り場およびネットワーク上における予想売れ行き枚数と予想過不足枚数を算出し、該算出結果を基に、宝くじ売り場販売分またはネットワーク販売分において宝くじの枚数不足が予想される場合には、宝くじ売り場販売分の宝くじとネットワーク販売分の宝くじとの間で振替処理を行う振替管理部と、を備えることを特徴とする宝くじ振替システムである。
【０００７】
また本発明は、宝くじの識別情報を基に、宝くじの在庫情報を記録し管理する在庫管理データベースを更に備え、前記振替管理部は、宝くじ売り場販売分またはネットワーク販売分において宝くじの枚数不足が予想される場合には、最初に前記在庫管理データベースを参照し、在庫がある場合には、前記在庫管理データベースから振替を行うと共に、在庫がない場合には、宝くじ売り場販売分の宝くじとネットワーク販売分の宝くじとの間で振替処理を行うことを特徴とする。
【０００８】
また本発明は、前記在庫分またはネットワーク販売分の宝くじを宝くじ売り場販売分に振り替える際に、該振替を行う宝くじについて証票が未製造の場合に、工場へ証票の製造指示を行う製造指示管理部とを備えることを特徴とする。
【０００９】
また、本発明は、宝くじの識別情報を基に、宝くじの過去の売れ行きの情報を記録し管理する過去販売情報管理データベースと、暦の曜日と六曜の情報を記録するカレンダーデータベースのいずれかまたは両方をさらに備え、前記振替管理部において宝くじ売り場およびネットワーク上における予想売れ行き枚数を算出する際には、前記過去の販売情報の要素と、暦の曜日及び六曜の情報の要素のいずれかまたは両方を含めて算出する手段を備えることを特徴とする。
【００１０】
また、本発明は、前記振替管理部において宝くじ売り場およびネットワーク上における予想売れ行き枚数を算出する際には、さらに気象情報の要素を含めて算出する手段を備えることを特徴とする。
【００１１】
また、本発明は、宝くじ売り場とネットワーク上の両方で販売される宝くじについて、売り場販売分の宝くじとネットワーク販売分の宝くじとの間で振替処理を行う宝くじ振替システムにおける宝くじ振替方法であって、前記宝くじ振替システムの売り場販売管理データベースが、宝くじの識別情報を基に、宝くじ売り場での宝くじの販売情報を記録し、前記宝くじ振替システムのネットワーク販売管理データベースが、宝くじの識別情報を基に、ネットワーク上での宝くじの販売情報を記録し、前記宝くじ振替システムの発売条件データベースが、宝くじの識別情報を基に、少なくとも宝くじの発売期間の情報を含む発売条件の情報を記録し、前記宝くじ振替システムの受付管理部が、前記宝くじ売り場及びネットワーク上で販売された宝くじの販売情報を受け付け、前記売り場販売管理データベースおよびネットワーク販売管理データベースに記録し、前記宝くじ振替システムの振替管理部が、該当する宝くじについて、前記各種データベースに記録された情報を基に、該当する宝くじについての宝くじ売り場およびネットワーク上における予想売れ行き枚数と予想過不足枚数を算出し、該算出結果を基に、宝くじ売り場販売分またはネットワーク販売分において宝くじの枚数不足が予想される場合には、宝くじ売り場販売分の宝くじとネットワーク販売分の宝くじとの間で振替処理を行うことを特徴とする宝くじ振替方法である。
【００１２】
また、本発明は、宝くじの識別情報を基に、宝くじ売り場での宝くじの販売情報を記録し管理する売り場販売管理データベースと、宝くじの識別情報を基に、ネットワーク上での宝くじの販売情報を記録し管理するネットワーク販売管理データベースと、宝くじの識別情報を基に、少なくとも宝くじの発売期間の情報を含む発売条件の情報を記録し管理する発売条件データベースと、を備え、宝くじ売り場とネットワーク上の両方で販売される宝くじについて、売り場販売分の宝くじとネットワーク販売分の宝くじとの間で振替処理を行う宝くじ振替システムのコンピュータに実行させるプログラムであって、前記宝くじ売り場及びネットワーク上で販売された宝くじの販売情報を受け付け、前記売り場販売管理データベースおよびネットワーク販売管理データベースに記録する受付管理処理と、該当する宝くじについて、前記各種データベースに記録された情報を基に、該当する宝くじについての宝くじ売り場およびネットワーク上における予想売れ行き枚数と予想過不足枚数を算出し、該算出結果を基に、宝くじ売り場販売分またはネットワーク販売分において宝くじの枚数不足が予想される場合には、宝くじ売り場販売分の宝くじとネットワーク販売分の宝くじとの間で振替処理を行う振替管理処理とを実行させるプログラムである。
【発明の効果】
【００１３】
本発明によれば、宝くじ売り場での宝くじの販売情報を記録し管理する売り場販売管理データベースと、ネットワーク上での宝くじの販売情報を記録し管理するネットワーク販売管理データベースと、宝くじの発売条件を管理する発売条件データベースとを設ける。そして、受付管理部により、宝くじ売り場やネットワーク上で販売された宝くじの販売情報を受け付け、前記データベースに記録する。そして、振替管理部により、前記各種データベースに記録された宝くじに関する情報を参照し、該当する宝くじについて、宝くじ売り場およびネットワーク上において予想される売れ行き枚数と過不足枚数を算出する。そして、該算出結果を基に、売り場販売分の宝くじとネットワーク販売分の宝くじの振替処理を行う。
これにより、宝くじ販売において、ネットワーク販売分の宝くじ（データで保有）と売り場販売分の宝くじ（実際の証票で保有）の販売状況等を考慮して、相互に自動で振り替えることができ、宝くじの不足による販売機会のロスを少なくすることができる。
【００１４】
また、宝くじの在庫情報を記録し管理する在庫管理データベースを備え、宝くじ売り場販売分またはネットワーク販売分において宝くじの枚数不足が予想される場合には、最初に前記在庫管理データベースを参照し、在庫がある場合には、前記在庫管理データベースから振替を行うと共に、在庫がない場合には、宝くじ売り場販売分の宝くじとネットワーク販売分の宝くじとの間で振替処理を行う。
これにより、在庫分から宝くじ売り場販売分またはネットワーク販売分へ振替ることができる。
【００１５】
また、製造指示管理部により、在庫分またはネットワーク販売分の宝くじを宝くじ売り場販売分に振り替える際に、証票が未製造の場合は、該振替を行う宝くじについて、工場へ証票の製造指示を行う。
これにより、宝くじ売り場販売分に振り返られた場合にのみ証票を製造すればよいので、無駄な証票の製造を少なくすることができる。
【００１６】
また、本発明によれば、宝くじ売り場およびネットワーク上における予想される売れ行き枚数を算出する際には、宝くじの過去の売れ行きの情報の要素と、暦の曜日及び六曜の情報の要素のいずれかまたは両方の要素を含めて算出する。
これにより、過去の販売情報により売れ行きが増加傾向にあると判明した場合や、残り販売日に日曜や祭日や大安の日が含まれる場合には、売り場販売分またはネットワーク販売分の宝くじの予想売枚数を増加させることができる。このため、宝くじの不足による販売機会のロスを少なくすることができる。
【００１７】
また、本発明によれば、振替管理部において宝くじ売り場およびネットワーク上における予想される売れ行き枚数を算出する際には、気象情報の要素を含めて算出する。
これにより、該当する宝くじ売り場において、晴天が続くと予想される場合は、予想売枚数を増加させ、当該宝くじ売り場への振替枚数を多くすることができる。このため、宝くじの不足による販売機会のロスを少なくすることができる。
【発明を実施するための最良の形態】
【００１８】
次に本発明を実施するための最良の形態について図面を参照して説明する。
【００１９】
図１は、本発明による宝くじ振替システムの構成例を示すブロック図である。図１において、１はホストコンピュータ、２はインターネット（ネットワーク）、３はユーザ端末、４は売り場端末、５は工場（工場内のコンピュータ）、６は気象庁のシステムなどが提供する天気予報データ（気象情報）である。
【００２０】
なお、売り場端末４、工場５、天気予報データ６は、図示のように専用回線でホストコンピュータ１に接続する代わりに、インターネット２を介してホストコンピュータ１に接続するようにしてもよいし、媒体等でデータをやり取りしてもかまわない。また、ユーザ端末３、売り場端末４、工場５は、実際は複数存在する場合があるが、図１においてはそれぞれを代表的に１つのみ例示している。
【００２１】
また、ホストコンピュータ１において、１１は宝くじ売り場やインターネットなどのネットワーク上で販売された宝くじの販売情報を受け付けデータベースに記録する受付管理部（データベース記録手段）、１２は売り場販売分の宝くじとネットワーク販売分宝くじの振替処理を管理する振替管理部（振替管理手段）、１３は工場５へ証票（宝くじ）の製造指示を管理する製造指示管理部、１４は宝くじの在庫情報を記録し管理する在庫管理データベース（在庫管理ＤＢ）（図２参照）、１５は売り場での宝くじの販売情報を記録し管理する売り場販売管理データベース（売り場販売管理ＤＢ）（図３参照）、１６はインターネットなどのネットワーク上での宝くじの販売情報を記録し管理するネットワーク販売管理データベース（ネットワーク販売管理ＤＢ）（図４参照）、１７は宝くじの発売条件の情報を記録し管理する発売条件データベース（発売条件ＤＢ）（図５参照）、１８は宝くじの過去の売れ行き情報を記録し管理する過去販売情報管理データベース（過去販売情報管理ＤＢ）（図６参照）、１９はカレンダーデータベース（カレンダーＤＢ）（図７参照）を示している。
【００２２】
図２に示す在庫管理データベース１４は、宝くじの在庫を管理する在庫管理データベースであり、ブロック番号（宝くじが販売される地域ブロック、例えば、近畿地方などの識別番号）、回号（宝くじ販売回数番号、例えば、第１２３回など）を大分類として、ユニット、組、宝くじ抽せん番号ごとに、宝くじのデータと証票を製造済みであるか否かの情報を記録したデータベースである。図２に示す例では、証票の製造済みの場合にはフラグ「１」が立てられる。この証票の製造済みフラグは、製造指示管理部１３が工場５へ証票の製造を指示する場合に参照される。
【００２３】
この在庫管理データベース１４は、振替管理部１２により振替処理を行う場合に最初に参照され、在庫があることが判明した場合には、この在庫管理データベース１４のデータから売り場販売管理データベース１５またはネットワーク販売管理データベース１６に宝くじのデータを振り替える。
【００２４】
図３に示す売り場販売管理データベース１５は、宝くじ売り場での宝くじの販売情報を記録し管理する売り場販売管理データベースである。ブロック番号、回号を大分類として、ユニット、組、宝くじ抽せん番号ごとに、配送先コード（宝くじ売り場の識別番号）、配送済みであるかどうかのフラグ（配送済みの場合にはフラグ「１」が立てられる）、販売された年月日が記録されている。
【００２５】
図４に示すネットワーク販売管理データベース１６は、インターネットなどのネットワーク上での宝くじの販売情報を記録し管理するネットワーク販売管理データベースである。このネットワーク販売管理データベース１６では、ブロック番号、回号を大分類として、ユニット、組、宝くじ抽せん番号ごとに、宝くじの証票を製造済みであるか否か、および販売年月日を記録したデータベースである。なお、図４に示す例では、証票の製造済みの場合にはフラグ「１」が立てられる。この証票の製造済みフラグは、製造指示管理部１３が工場５へ証票の製造を指示する場合に参照することができる。
【００２６】
図５に示す発売条件データベース１７は、宝くじの発売条件の情報を記録し管理する発売条件データベースである。この発売条件データベース１７では、ブロック番号、回号を基に、単価（例えば、２００円）、発売枚数、発売開始日、発売終了日、支払期限などの発売条件が記録されている。この発売条件データベース１７は、宝くじの残りの販売日数を計算する場合などに参照される。
【００２７】
図６に示す過去販売情報管理データベース１８は、宝くじの過去の売れ行き情報を管理する過去販売情報管理データベースである。この過去販売情報管理データベース１８では、ブロック番号、回号を大分類として、配送先コード、販売枚数、年月日、曜日、六曜、天気などの情報が記録されている。この過去販売情報管理データベース１８は、振替管理部１２により振替処理を行う際に、販売枚数の予測計算を行う場合の参考情報として利用される。
【００２８】
図７に示すカレンダーデータベース１９は、カレンダー情報（暦情報）が記録されたデータベースである。このカレンダーデータベース１９では、年月日と、それに対応する曜日と、六曜の情報が記録されている。このカレンダーデータベース１９は、宝くじの販売枚数の予測計算を行う際に、残り販売日数内に日曜、祭日が含まれるか、大安の日などが含まれるかどうかを調べるために参照される。
【００２９】
次に、本発明の宝くじ振替システムにおおける振替処理の流れについて説明する。この振替処理は、ホストコンピュータ１において、上述した各種のデータベース１４〜１９を参照して、売り場販売分とネットワーク販売分の販売枚数の予測計算を行い、振替を行うか否かを判断する。そして、振替を行う場合は振り替える数量を決定することを基本にしている。またデータベースの販売情報と共に、大安の日は売れる、雨の日より晴れの日が売れる、週末は売れる等の統計的な条件を考慮して振替の判断を行う。
【００３０】
［売り場販売分への振替処理の手順についての説明］
最初に、売り場販売分への振替処理の流れについて説明する。図８および図９は、売り場販売分の振替処理について示したものであり、以下、図を参照して説明する。
【００３１】
まず最初に、振替管理部１２は、売り場販売管理ＤＢ１５を参照し、対象となる宝くじ売り場について、該当する宝くじの残りの数量を調べる（ステップＳ１）。
【００３２】
次に、振替管理部１２は、発売条件ＤＢ１７の発売終了日を参照し、該当する宝くじの残りの販売日数を調べ、また、カレンダーＤＢ１９を参照し残り販売日の曜日と六曜を調べる（ステップＳ２）。
【００３３】
また、振替管理部１２は、売り場販売管理ＤＢ１５の販売年月日を参照し、各日の売れ行きを調べる（ステップＳ３）。
【００３４】
また、振替管理部１２は、過去販売情報管理ＤＢ１８を参照し、該当するくじの残りの販売日に該当する過去の各日の売れ行きを調べる（ステップＳ４）。
【００３５】
また、振替管理部１２は、天気予報データ６を参照し、残りの販売日の天気予報を調べる（ステップＳ５）。
【００３６】
そして、振替管理部１２は、上記ステップＳ１〜Ｓ５の調査結果に基づいて振替が必要か否か判断する（ステップＳ６ａ）。振替が必要な場合は振り替える数量を決定する（ステップＳ６ｂ）。例えば、ステップＳ１〜Ｓ５の結果が、「売り場の残り数量が２００枚」、「残り販売日数が５日で曜日が月曜日〜金曜日で大安が１日含まれる」、「各日の売れ行きの平均が５０枚で増加傾向」、「過去の各日の売れ行きの平均が６０枚で増加傾向」、「晴れの日が続く」の調査結果であった場合、過去の各日の平均より売れそうなので、例えば、一日平均７０枚売れるとし、１５０枚を振り替えると決定する。
「７０［枚］×５［日］−２００（売り場残り枚数）＝１５０枚」
なお、予想売り上げ枚数の算定方法には、所定の数式を使う方法や、経験則をルール化し、該ルールを当てはめて算出する方法など、種々の方法を容易に選択することができる。
【００３７】
そして、振替が必要な場合は、振替管理部１２が在庫管理ＤＢ１４を参照し、残りの数量を調べる（ステップＳ７ａ、７ｂ）。
【００３８】
在庫管理ＤＢ１４に必要な数量が存在する場合は、在庫管理ＤＢ１４のデータから売り場販売管理ＤＢ１５へデータを振り替える（ステップＳ７ｂから図９に示すステップＳ１３へ移行）。
【００３９】
在庫管理ＤＢ１４に必要な数量が存在しない場合は、振替管理部１２は、ネットワーク販売管理ＤＢ１６を参照し、残りの数量を調べる（ステップＳ８）。
【００４０】
また、振替管理部１２は、ネットワーク販売管理ＤＢ１６の販売年月日を参照し、売れ行きを調べる（ステップＳ９）。
【００４１】
また、振替管理部１２は、過去販売情報管理ＤＢ１８を参照し、該当するくじの残りの販売日に該当する過去の各日の売れ行きを調べる（ステップＳ１０）。
【００４２】
そして、振替管理部１２は、上記ステップＳ８〜Ｓ１０の調査結果に基づいて振替が可能か否か判断する（ステップＳ１１ａ）、振替が可能な場合は振り替える数量を決定する（図９に示すステップＳ１１ｂ）。
例えばステップＳ８〜Ｓ１０の調査結果の結果が、「ネットワーク販売の残り数量が１０，０００枚」、「各日の売れ行きの平均が１，５００枚で増加傾向」、「過去の各日の売れ行きの平均が１,４００枚で増加傾向」、「残り販売日数が５日で曜日が月曜日〜金曜日で大安が１日含まれる」、「晴れの日が続く」だった場合、１５０枚を振り替えると決定する。
【００４３】
振替が可能な場合は、振替管理部１２が、ネットワーク販売管理ＤＢ１６のデータから売り場販売管理ＤＢ１５へデータを振り替える（ステップＳ１２）。
【００４４】
また、証票が未製造の場合、売り場販売管理ＤＢ１５のデータに基づいて、製造指示管理部１３が工場５へ証票の製造を指示する（ステップＳ１４、Ｓ１５）。
【００４５】
次に、工場５で証票を製造する（ステップＳ１６）。そして、証票を宝くじ売り場へ配送する（ステップＳ１７）。
【００４６】
［ネットワーク販売分への振替処理の手順についての説明］
次に、ネットワーク販売分への振替処理の流れについて説明する。図１０および図１１は、ネットワーク販売分への振替処理の手順について示したものであり、以下、図を参照して説明する。
【００４７】
最初に、振替管理部１２は、ネットワーク販売管理ＤＢ１６を参照し、ネットワーク販売分の宝くじの残りの数量を調べる（ステップＳ２１）。
【００４８】
次に、振替管理部１２は、発売条件ＤＢ１７の発売終了日を参照し、宝くじの残りの販売日数を調べ、またカレンダーＤＢ１９を参照し残り販売日の曜日と六曜を調べる（ステップＳ２２）。
【００４９】
また、振替管理部１２は、ネットワーク販売管理ＤＢ１６の販売年月日を参照し、宝くじの売れ行きを調べる（ステップＳ２３）。
【００５０】
また、振替管理部１２は、過去販売情報管理ＤＢ１８を参照し、該当するくじの残りの販売日に該当する過去の各日の売れ行きを調べ、また、天気予報データ６を参照し、残りの販売日の天気予報を調べる（ステップＳ２４）。
【００５１】
そして、振替管理部１２は、上記ステップＳ２１〜Ｓ２４の調査結果に基づいて振替が必要か否か判断する（ステップＳ２５ａ）。振替が必要な場合は振り替える数量を決定する。例えばステップＳ２１〜Ｓ２４の結果が、「ネットワーク分の残り枚数が３,０００枚（ステップＳ２１）」、「残り販売日数が１０日で曜日が日曜日〜翌週の火曜日で大安が１日含まれる（ステップＳ２２）」、「各日の売れ行きの平均が１，０００枚で増加傾向（ステップＳ２３）」、「過去の各日の売れ行きの平均が１，０００枚で増加傾向で、天気が雨の確率が所定の値よりも高い（ステップＳ２４）」であった場合、７,０００枚を振り替えると決定する（ステップＳ２５ｂ）。
「１,０００［枚］×１０［日］−３，０００［枚］（残り枚数）＝７，０００枚」
なお、予想売り上げ枚数の算定方法には、所定の数式を使う方法や、経験則をルール化し、該ルールを当てはめて算出する方法など、種々の方法を容易に選択することができる。
【００５２】
そして、振替が必要な場合は、振替管理部１２が在庫管理ＤＢ１４を参照し、残りの数量を調べる（ステップＳ２６）。
【００５３】
在庫管理ＤＢ１４に必要な数量が存在する場合は、在庫管理ＤＢ１４のデータからネットワーク販売管理ＤＢ１６へデータを振り替える（ステップＳ２７から図１１のステップＳ３４へ移行）。
【００５４】
在庫管理ＤＢ１４に必要な数量が存在しない場合は、振替管理部１２は、売り場販売管理ＤＢ１５を参照し、残りの数量を調べる（ステップＳ２８）。
【００５５】
そして、振替管理部１２は、売り場販売管理ＤＢ１５の販売年月日を参照し、売れ行きを調べる（ステップＳ２９）。
【００５６】
また、振替管理部１２は、過去販売情報管理ＤＢ１８を参照し、該当するくじの残りの販売日に該当する過去の各日の売れ行きを調べる（ステップＳ３０）。
【００５７】
また、振替管理部１２は、天気予報データ６を参照し、残りの販売日の天気予報を調べる（ステップＳ３１）。
【００５８】
そして、振替管理部１２は、上記ステップＳ２８〜Ｓ３１の調査結果に基づいて振替が可能か否か判断し（ステップＳ３２ａ）、振替が可能な場合は振り替える数量を決定する（ステップＳ３２ｂ（図１１））。例えば、Ｓ２８〜Ｓ３１の結果が、５ケ所の売り場で、各日の売れ行きの平均枚数に残り日数をかけた値より多くの枚数が残っており、かつ過去の各日の売れ行きの平均枚数に残り日数をかけた値より多くの枚数が残っており、雨の日が多い場合、５ケ所の売り場から６，０００枚を振り替えると決定する。
【００５９】
振替が可能な場合は、振替管理部１２が、売り場販売管理ＤＢ１５のデータからネットワーク販売管理ＤＢ１６へデータを振り替える（ステップＳ３３（図１１））。なお、売り場販売管理ＤＢ１５のデータからネットワーク販売管理ＤＢ１６へデータを振り替えた場合には、宝くじ売り場から証票の現物を回収する。
【００６０】
以上説明した振替の処理手順により、ネットワーク上で販売する宝くじ（データ）が余っていて、売り場で販売する宝くじ（証票）が不足している場合、ネットワーク上で販売する予定だった宝くじのデータを売り場で販売する分に振り替えて、証票を製造し、売り場へ配送することができる。
【００６１】
逆に、売り場の宝くじ（証票）が余っていて、ネットワーク上で販売する宝くじ（データ）が不足している場合、売り場で販売する予定の宝くじ（証票）をネットワーク上での販売分（データ）に振り替えることができる。
【００６２】
このため、宝くじ販売において、宝くじデータと実際の証票の販売状況等を考慮して自動で振り替えることができ、宝くじの不足による販売機会のロスを少なくすることができ、また無駄な証票の製造を少なくすることができる。
【００６３】
また、上述した宝くじ振替システムはホストコンピュータ１を中心に構成されている。そして、上述した処理に関する一連の処理の過程は、プログラムの形式でコンピュータ読み取り可能な記録媒体に記憶されており、このプログラムをコンピュータが読み出して実行することによって、上記処理が行われる。
【００６４】
すなわち、受付管理部１１、振替管理部１２、及び製造指示管理部１３における、各処理は、ＣＰＵ等の中央演算処理装置がＲＯＭやＲＡＭ等の主記憶装置に上記プログラムを読み出して、情報の加工、演算処理を実行することにより、実現されるものである。
【００６５】
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００６６】
以上、本発明の実施の形態について説明したが、本発明の宝くじ振替システムは、上述の図示例にのみ限定されるものではなく、本発明の要旨を逸脱しない範囲内において種々変更を加え得ることは勿論である。
【産業上の利用可能性】
【００６７】
本発明においては、宝くじ販売において、宝くじデータと実際の証票の販売状況等を考慮して自動で振り替えることができ、宝くじの枚数不足による販売機会のロスを少なくすることができ、また無駄な証票の製造を少なくすることができる効果を奏するので、本発明は、宝くじ振替システム、宝くじの振替方法、およびプログラムなどに有用である。
【図面の簡単な説明】
【００６８】
【図１】本発明による宝くじ振替システムの構成例を示すブロック図である。
【図２】在庫管理データベースのデータ構成例を示す図である。
【図３】売り場販売管理データベースのデータ構成例を示す図である。
【図４】ネットワーク販売管理データベースのデータ構成例を示す図である。
【図５】発売条件データベースのデータ構成例を示す図である。
【図６】過去販売情報管理データベースのデータ構成例を示す図である。
【図７】カレンダーデータベースのデータ構成例を示す図である。
【図８】売り場販売分への振替処理の手順を示す図その１である。
【図９】売り場販売分への振替処理の手順を示す図その２である。
【図１０】ネットワーク販売分への振替処理の手順を示す図その１である。
【図１１】ネットワーク販売分への振替処理の手順を示す図その２である。
【符号の説明】
【００６９】
１  ホストコンピュータ
２  インターネット
３  ユーザ端末
４  売り場端末
５  工場
６  天気予報データ
１１  受付管理部
１２  振替管理部
１３  製造指示管理部
１４  在庫管理データベース
１５  売り場販売管理データベース
１６  ネットワーク販売管理データベース
１７  発売条件データベース
１８  過去販売情報管理データベース
１９  カレンダーデータベース
【図１】
2006065741.tif 000003
【図２】
2006065741.tif 000004
【図３】
2006065741.tif 000005
【図４】
2006065741.tif 000006
【図５】
2006065741.tif 000007
【図６】
2006065741.tif 000008
【図７】
2006065741.tif 000009
【図８】
2006065741.tif 000010
【図９】
2006065741.tif 000011
【図１０】
2006065741.tif 000012
【図１１】
2006065741.tif 000013